(57)【要約】【課題】釣り針の仮止め具やイカ角の投入具と併用することで、幹糸等がもつれるのを防止し、かつ、従来と同じ手法によって仕掛けを投下することができる糸絡み防止具を提供する。【解決手段】多点針仕掛けの釣り針を仮止め具に仮止めしたときに前記仮止め具から垂れる前記釣り針間の釣糸の糸絡み防止具であって、少なくとも上面が開口し、該上面開口から前記釣糸を前記釣り針に対応するサルカンごと出し入れ自在な複数の筒状体と、該複数の筒状体を前記釣り針の仮止め方向に沿って着脱自在に支持するベースとを備える。筒状体は、底部に向かって外形が細くなる縦長の錐体であることが好ましく、ベースは、柔軟性を有するシート材からなることが好ましい。【選択図】図１
2015057953.tif 000002
【特許請求の範囲】
【請求項１】
多点針仕掛けの釣り針を仮止め具に対して水平方向に並列に仮止めしたときに前記仮止め具から垂れる前記釣り針間の釣糸の糸絡み防止具であって、
少なくとも上面が開口し、該上面開口から前記釣糸を前記釣り針に対応するサルカンごと出し入れ自在な複数の筒状体と、
該複数の筒状体を前記釣り針の仮止め方向に沿って着脱自在に支持するベースとを備えることを特徴とした糸絡み防止具。
【請求項２】
筒状体は、底部に向かって外形が細くなる縦長の錐体である請求項１記載の糸絡み防止具。
【請求項３】
筒状体は、隣合う同士が上面を面一として横方向に連結可能である請求項１または２記載の糸絡み防止具。
【請求項４】
ベースは、複数の筒状体を着脱自在に支持する垂直な取付け面を有し、該取付け面に前記筒状体の底受けを設けてなる請求項１、２または３記載の糸絡み防止具。
【請求項５】
ベースは、柔軟性を有するシート材からなる請求項１から４のうち何れか一項記載の糸絡み防止具。
【発明の詳細な説明】
【技術分野】
【０００１】
この発明は、幹糸に複数の釣り針を設けてなる多点針仕掛けのもつれを防止する釣り用附属品としての糸絡み防止具に関するものである。
【背景技術】
【０００２】
従来、胴突き仕掛けに代表される多点針仕掛けのもつれを防止するために、複数ある釣り針を船縁に沿って順番に仮止めする釣り用品（ここでは「仮止め具」という。）は公知である（特許文献１〜４等）。
【先行技術文献】
【特許文献】
【０００３】
【特許文献１】実開昭５８−１７０９６８号公報
【特許文献２】実開平６−１３４７７号公報
【特許文献３】特開平８−３３２０１０号公報
【特許文献４】特開２００４−３３７１０９号公報
【特許文献５】実開平７−２２６７１号公報
【特許文献６】特開平１０−１７４５４２号公報
【特許文献７】特開２００５−２３７２１６号公報
【発明の概要】
【発明が解決しようとする課題】
【０００４】
上記仮止め具によれば、釣り針を適宜間隔をおいて水平方向に並列に仮止めするため、釣り針同士が絡み合うことはない。しかし、ハリスや幹糸（以下、「幹糸等」という。）については、完全にもつれを防止できなかった。即ち、釣り針の仮止め中、幹糸等は、特許文献１の第３図や特許文献３の第１図、さらには特許文献４の図５にも示されているように、デッキ側にＵ字に垂れておくが、この部分が波風等によってもつれてしまうのである。
【０００５】
特に、幹糸等に巻き癖がついている場合、上記特許文献１・３・４の各図に示されているような、真っ直ぐ下に腰がない状態で垂れるのではなく、いくつものカールが入り乱れた状態となるから、よりもつれやすくなる。さらに顕著な例としては、多点針仕掛けでは、よりもどしのためにサルカンによって釣り針（ハリス）を幹糸に繋ぐことが必須となるが、このサルカンが波風等で複雑に揺れことによって、幹糸等が簡単にもつれてしまう。
【０００６】
このように幹糸等がもつれた仕掛けをそのまま使用すると、当然、釣果に影響する。また、胴突き仕掛けの場合、先端のオモリを海に投げ込むことで、その重さに引っ張られて、仮止めした釣り針が順次、芋づる式に自動投下されるが、幹糸等がもつれていると、この機能も正常に発揮されない。かといって、一々ほどいていたのでは、釣るタイミングを逸するし、人によってはほどいている間に船酔いにかかり釣りどころではなくなることもある。
【０００７】
一方、特許文献５〜７はイカ釣り用の多点針仕掛けにおけるイカ角の投入具に関するものであるが、この場合も、特許文献１〜４の仮止め具と同様、投入具から垂れる幹糸等がもつれる。特に、イカ釣りの場合、通常の仕掛けよりもイカ角の間隔を大きくとり、その分、幹糸も長くなるため、もつれが生じやすい。
【０００８】
なお、特許文献３・４には、釣り針の仮止め具の下に、幹糸の糸挟み部（ミキイト用仮止め具）を設けて、釣り針の仮止め中、幹糸も仮止めしておくことが開示されている。しかし、この構成であると、仕掛けの投下時に、一々、手作業によって釣り針間の幹糸を糸挟み部から外さなくてはならず、上述した自動投下機能が阻害され、手間と時間がかかる。
【０００９】
本発明はこの現状に鑑みなされたもので、その目的とするところは、釣り針の仮止め具やイカ角の投入具と併用することで、幹糸等がもつれるのを防止し、かつ、従来と同じ手法によって仕掛けを投下することができる糸絡み防止具を提供することである。
【課題を解決するための手段】
【００１０】
上述した目的を達成するために本発明では、特許文献１〜４のような多点針仕掛けの釣り針を水平方向に並列に仮止めする仮止め具と併用することを前提として、少なくとも上面が開口し、該上面開口から前記仮止め具から垂れる前記釣糸を前記釣り針に対応するサルカンごと出し入れ自在な複数の筒状体と、該複数の筒状体を前記釣り針の仮止め方向に沿って着脱自在に支持するベースとから糸絡み防止具を構成するという手段を用いた。
【００１１】
この手段において、本発明の糸絡み防止具は、筒状体はサルカンと一対一の関係で同数使用し、それぞれの筒状体にサルカンとともに釣糸を収容することで、サルカン同士や釣糸同士の接触そのものを隔絶して糸絡みを防止する。筒状体はサルカンと釣糸を出し入れ自在に収容するので、釣り針を仮止めする順にサルカンを筒状体に収容していけば、次回、仕掛けを投下する際、順序よく筒状体からサルカンが引き出されるから、従来と全く同様の釣り方をすることができる。
【００１２】
また、筒状体はベースに着脱自在であるから、未使用時には両者を分解して、コンパクトに持ち運ぶことができる。この点、筒状体を底部に向かって外形が細くなる縦長の錐体としておけば、筒状体同士を入れ重ねることができ、よりコンパクトに片付けることができる。
【００１３】
さらに、筒状体は、隣合う同士が上面を面一として連結可能であることが好ましい。複数の筒状体をベースに取付けたとき、筒状体同士に隙間があると、この隙間に釣糸が引っ掛かってしまい、仕掛けの自動投下機能が阻害されるからである。
【００１４】
これと同じ観点から、ベースは、複数の筒状体を横並びに取付ける垂直な取付け面を有し、該取付け面に前記筒状体の底受けを設けてなることが好ましい。底受けによって筒状体群の底をカバーすることで、連結時に不可避に隙間が生じる上記錐体状の筒状体同士の隙間に釣糸が引っ掛かることを防止できるからである。また、底受けは、筒状体を上面開口の状態で正しく起立させる機能と、筒状体を下支えする機能も合わせ持つ。
【００１５】
なお、ベースは、複数の筒状体をサルカンの収容高さに支持できるものであれば、形状や材質は問わないが、柔軟性を有するシート材から構成することを好例として挙げることができる。このようなシート材からなるベースであれば、片付けるときに折り畳んだりロール状に巻いたりして、コンパクトに持ち運ぶことができるからである。この点、釣りは、釣竿やリール、仕掛け、餌、クーラーボックス等といったように、多くの荷物（道具）を使用するから、本発明の糸絡み防止具をコンパクトに片付けることの意義は大きい。
【発明の効果】
【００１６】
本発明によれば、釣り針を仮止めしたときの釣糸をサルカンごとに筒状体に収容することで、これら釣糸やサルカン同士の接触が隔絶されるため、確実に糸絡みを防止することができる。その際、釣り針を仮止めする順にサルカンを筒状体に放り込むだけで済み、仕掛けの投下に際しても、オモリを投下するだけで、その重みによって筒状体に収容した釣糸も自動的に引き出されるので、特許文献３や４のように、幹糸専用の仮止め具を使用するよりも作業が楽であり、迅速な釣りに期することができる。
【００１７】
さらに、筒状体はベースから取り外して、コンパクトに入れ重ねて仕舞うことができ、ベースもロール状にすることができるため、従来の釣りから大きくラゲッジスペースをとることもない。
【図面の簡単な説明】
【００１８】
【図１】本発明の一実施形態に係る糸絡み防止具の使用状態を示した斜視図
【図２】同、筒状体の上部を示した拡大斜視図
【図３】同、筒状体の連結態様を示した説明図
【図４】同、糸絡み防止具の側面図
【図５】同、筒状体を取り外したときのベースの斜視図
【図６】同、筒状体を入れ重ねる態様を示した説明図
【発明を実施するための形態】
【００１９】
以下、本発明の好ましい実施の形態を添付した図面に従って説明する。図１は、本発明の一実施形態に係る糸絡み防止具Ｐの使用状態を示した斜視図である。この糸絡み防止具を使用する前提として、船釣りであれば、その船縁Ｇに多点針仕掛け（胴突き仕掛け）Ｄの釣り針Ｈを仮止めする仮止め具Ｔが装着されている。この仮止め具Ｔは、釣り針Ｈを水平方向に並列に仮止めするもので、一例として、本願出願人の実開平６−１３４７７号公報（特許文献２）に記載された仕掛固定具を採用している。ただし、仮止め具Ｔ自身は本願の特許請求の対象ではなく、他の構造の仮止め具と併用することも可能である、
【００２０】
このような仮止め具Ｔとセットで用いる本実施形態の糸絡み防止具Ｐは、複数の筒状体１と、該筒状体１を複数取付けるベース２とからなる。筒状体１は、少なくとも上面が開口しており、この上面開口１ａから多点針仕掛けＤの釣り針Ｈ間の釣糸Ｌを釣り針Ｈに対応するサルカンＳごと収容するもので、この実施形態では、底部に向かって外形が細くなる縦長錐体状のプラスチックケースを採用している。
【００２１】
また、筒状体１は、上縁のフランジ１ｂを設け、この実施形態の場合、図２に示すように、その左右端面それぞれに、凹溝１ｃと、該凹溝１ｃにスライドして嵌り込む凸条１ｄそれぞれを設けている。凹溝１ｃは筒状体１の前方が開放されており、図３に示すように、筒状体１の前方から他の筒状体１の凸条１ｄをスライドさせながら嵌め込むことによって、複数の筒状体１を横並びに連結できる。このような連結態様において、筒状体１同士の上面（フランジ）は面一となるため、隙間なく筒状体１同士を連結することができる。したがって、釣糸Ｌを筒状体に収容する際、筒状体１間の隙間に釣糸Ｌが引っ掛かってしまうことがない。
【００２２】
一方、ベース２は、釣り針Ｈの仮止め方向に沿って、所定数の筒状体１をサルカンＳの収容高さに支持するものであり、この実施形態では、横方向に連結した５つの筒状体群を支持することができる幅のシート材を用いている。このようなシート材からなるベース２を前記高さに設置する手段は問わないが、この実施形態では、図１に示すように、仮止め具Ｔの基板を取付ける際、該基板と船縁Ｇの間に上部を挟み込んで固定している。
【００２３】
そして、ベース２のシート材は柔軟性を有するため、船縁Ｇへの固定部２ａよりも下は、ほぼ垂直に垂れ下がる。この垂直な垂れ下がり部の片面を筒状体１の取付け面２ｂとして、筒状体１を着脱自在に取付けるのであるが、その手段は、この実施形態の場合、面ファスナを用いている。即ち、図４に示したように、ベース２の片面には雄雌何れかの面ファスナ３を横一線に帯状に設け、筒状体１の背面にも対応する面ファスナ４を設けている。
【００２４】
このような面ファスナ３・４は、上下に複数段設けることができ、段数を増やせば、より強固に筒状体１をベース２に取付けることができることはもちろんである。
【００２５】
さらに、この実施形態では、ベース１の下方に筒状体１の底受け５を設けている。この底受け５は、図５に示すように、凹状となっていて筒状体１の底を嵌め入れる構造としている。このような底受け５によって筒状体１を上面開口を上向きに正しく起立した状態で下支えすることができる。しかも、この実施形態では、底受け５の内部を筒状体１ごとに区画しているため、筒状体１のぐらつきも防止することができる。また、この底受け５によって、連結した筒状体１の底部間に生ずる隙間をカバーすることができる。したがって、筒状体１に釣糸Ｌを収容する際、釣糸Ｌが隙間に嵌り込んで引っ掛かってしまうことがない。
【００２６】
上記構成の糸絡み防止具Ｐによれば、仮止め具Ｔに仮止めした順に、釣り針Ｈ間の釣糸ＬをサルカンＳごとに筒状体１に収容することで、これら釣糸同士やサルカン同士の接触が隔絶されるため、糸絡みが生じない。また、仕掛けの投下時に、オモリの重さによって筒状体１からサルカンＳが順次引き出されるため、従来と同じ手法により仕掛けを投下することができる。
【００２７】
また、仕掛けを仕舞う際も、仮止め具Ｔに釣り針Ｈを仮止めした順に、適当な巻取り具に釣糸Ｌを巻き付けていけば、筒状体１から釣糸Ｌが自然と引き出され、糸絡みがない状態で容易に仕掛けを仕舞うことができる。
【００２８】
さらに、本発明の糸絡み防止具は、未使用時に筒状体１とベース２を分解できるうえ、筒状体１は底部に向かって外形が細くなる縦長の錐体状の形状としているので、図６に示すように、複数の筒状体１を互いに入れ重ねて、コンパクトに仕舞うことができる。ベース２も折り畳んだりロール状に巻き取ることでコンパクトにしまうことができるので、持ち運びや保管も容易となる。
【００２９】
なお、筒状体１の数は、釣り針Ｈの数、即ちサルカンＳと同数とすることが好ましい。そのため、筒状体１は上記実施形態のように、５つに限らず、６つ以上が必要な場合は、ベース１の数を増やして、これを隣り合わせに設置することで、筒状体１の数を増やすことができる。
【００３０】
さらに、対象となる仕掛けは、一般的な胴突き仕掛けに限らず、イカ角を多数備えた仕掛けであっても、従来のイカ角投入具と併用することで、イカ角間の釣糸の糸絡みを防止することができる。
【００３１】
さらにまた、筒状体１の底面や、ベース１の底受け５に、適宜、水抜き穴を設けることもできる。
【符号の説明】
【００３２】
Ｐ  糸絡み防止具
Ｄ  多点針仕掛け
Ｈ  釣り針
Ｌ  釣糸
Ｓ  サルカン
Ｇ  船縁
１  筒状体
１ａ  上面開口
１ｂ  フランジ
１ｃ  凹溝
１ｄ  凸条
２  ベース
２ａ  固定部
２ｂ  取付け面
３・４  面ファスナ
５  底受け
【図１】
2015057953.tif 000003
【図２】
2015057953.tif 000004
【図３】
2015057953.tif 000005
【図４】
2015057953.tif 000006
【図５】
2015057953.tif 000007
【図６】
2015057953.tif 000008